(57)【要約】【課題】  コンバインの刈高さ検出装置を、後進時における損傷や変形を回避することができるとともに、前後にコンパクトなものにする。【解決手段】  前部支点Ｘを中心に上下揺動して接地追従する接地体２３とこの接地体２３の揺動を検知する角度センサ２４とを支持した検知ケース２２を、前部支点Ｘより後方箇所に設置した後部支点Ｙを中心に前上がり方向に退避回動可能に支持し、前進時においては接地体２３の後端部２３ｃに作用する接地外力が検知ケース２２を後部支点Ｙ周りに前下がり方向に回動させるように作用し、後進時において接地体２３の後端部２３ｃに作用する接地外力が検知ケース２２を後部支点Ｙ周りに前上がり方向に回動させるように作用するよう構成してある。【選択図】        図３
2006204167.tif 000002
【特許請求の範囲】
【請求項１】
走行機体の前部に昇降自在に連結された刈取り部の下部に、前部支点を中心に上下揺動して接地追従する接地体とこの接地体の揺動を検知する角度センサとを支持した検知ケースを配備し、前記接地体を後方下方に向けて延出してその後端部を接地点として接地追従揺動するよう構成し、
前記検知ケースを前記前部支点より後方箇所に設置した後部支点を中心に前上がり方向に退避回動可能に支持し、前進時においては前記接地体の後端部に作用する接地外力が前記検知ケースを前記後部支点周りに前下がり方向に回動させるように作用し、後進時において前記接地体の後端部に作用する接地外力が前記検知ケースを前記後部支点周りに前上がり方向に回動させるように作用するよう構成してあることを特徴とするコンバインの刈高さ検出装置。
【請求項２】
前進時の刈高さ検知状態において、前記接地体の後端部が前記後部支点よりも後方で接地するように接地体の長さを設定してある請求項１記載のコンバインの刈高さ検出装置。
【請求項３】
前記接地体が検知ケースに対して下方限界まで揺動した時、接地体の後端部が前記後部支点の略直下方に位置するように設定してある請求項２記載のコンバインの刈高さ検出装置。
【請求項４】
前記検知ケースの前下がり方向への回動限界を規制する接当規制手段を設けるとともに、検知ケースを前下がり方向へ回動付勢する戻しバネを備えてある請求項１〜３のいずれか一項に記載のコンバインの刈高さ検出装置。
【請求項５】
前記戻しバネを前記検知ケースに内装してある請求項４記載のコンバインの刈高さ検出装置。
【発明の詳細な説明】
【技術分野】
【０００１】
本発明は、コンバインにおける自動刈高さ制御に利用される刈高さ検出装置に係り、特には、走行機体の前部に昇降自在に連結された刈取り部の下部に前部支点を中心に上下揺動して接地追従する接地体を配備し、この接地体の揺動を角度センサで検知するよう構成した刈高さ検出装置に関する。
【背景技術】
【０００２】
刈高さ検出装置に使用される接地体は前部支点を中心に上下揺動するものであるので、刈取り部を作業高さに下降させた状態で後進すると、接地体が地面に食い込んで損傷あるいは大きく変形してしまうおそれがある。
【０００３】
そこで、このような不具合を解消する手段として、特許文献１に開示されているように、接地体とセンサボックスとからなるセンサユニットを上方に退避移動操作可能に支持したもの、あるいは、接地体だけを上方に退避移動操作可能にしたものや、特許文献２に開示されているように、接地体を下方向き凸曲状に湾曲形成した板バネ材で構成して、その長手方向中間の凸曲頂部を接地させるとともに、接地体の後端部を地面より上方位置で刈取り部に前後移動可能に案内係止するように構成したもの、等が提案されている。
【特許文献１】実開昭５８−１５２８３７号公報（第２図、第６図、第７図）
【特許文献２】特開２００４−２８３００８号公報
【発明の開示】
【発明が解決しようとする課題】
【０００４】
特許文献１に開示されている刈高さ検出装置においては、後進時にセンサユニット全体、あるいは、接地体を上方に退避移動させることで、接地体が地面へ食い込むことを確実に回避することができるものであるが、センサユニットあるいは接地体を退避移動させるための操作機構が必要となって構造が複雑になるとともに操作が煩わしいものになるものであった。
【０００５】
また、特許文献２に開示されている刈高さ検出装置においては、板バネ材からなる湾曲接地体の凸曲頂部を接地させるので、特別な退避操作を行わなくても前進および後進のいずれにおいても接地体が地面に食い込むことがなく、耐久性および取扱い性に優れたものとなっているのであるが、後進時に接地体に不当な外力が作用しないようにするためには、接地体の凸曲頂部より後方延長部分にも、前方迎え角と同程度の緩い迎え角を与えておく必要があり、そのために接地体の全長が相当長くなって、刈高さ検出装置の前後方向での設置スペースが長くなってしまうものであった。また、接地体の後端部が刈取り部に係止支持されているので、雑草やワラくず等の夾雑物が接地体の内部に入り込んでくると接地体後端部の係止部に引っ掛かって堆積するおそれもあった。
【０００６】
本発明は、このような点に着目してなされたものであって、後進時における損傷や変形を回避することができる刈高さ検出装置を比較的コンパクトに配備できるようにすることを主たる目的としている。
【課題を解決するための手段】
【０００７】
第１の発明は、走行機体の前部に昇降自在に連結された刈取り部の下部に、前部支点を中心に上下揺動して接地追従する接地体とこの接地体の揺動を検知する角度センサとを支持した検知ケースを配備し、前記接地体を後方下方に向けて延出してその後端部を接地点として接地追従揺動するよう構成し、
前記検知ケースを前記前部支点より後方箇所に設置した後部支点を中心に前上がり方向に退避回動可能に支持し、前進時においては前記接地体の後端部に作用する接地外力が前記検知ケースを前記後部支点周りに前下がり方向に回動させるように作用し、後進時において前記接地体の後端部に作用する接地外力が前記検知ケースを前記後部支点周りに前上がり方向に回動させるように作用するよう構成してあることを特徴とする。
【０００８】
上記構成によると、刈取り部を刈取り作業高さにして前進すると、接地体の後端部に働く接地反力は検知ケースを前下がり方向に回動させるよう働き、検知ケースは所定の検知用姿勢に維持される。つまり、接地体に働く接地反力で検知ケースが上方に退避するおそれがないので、検知ケースを検知用姿勢に特に強く保持しておくことは不要となる。
【０００９】
接地体の後端部を接地させたままで後進させると、接地体の後端部に前方への外力が働き、この外力によって検知ケースが後部支点を中心に前上がり方向に退避回動することになり、接地体の前部支点は上方に大きき退避移動する。従って、接地体は後端部が地面に接触した起立姿勢となり、この姿勢を維持したままで機体後進に伴って地上を摺接移動してゆく。
【００１０】
また、後進から前進に切換わると、起立姿勢の接地体の後端部には後方向きの外力が働くことになり、検知ケースは前下がり方向に回動して再び元の検知用姿勢まで復帰する。
【００１１】
また、接地体はその後端部が接地追従するので、接地体の上方空間は後方へ開放されており、前進に伴って地上の夾雑物が接地体に絡まってきても地面との摺接に伴って後方にすり抜けてゆき、接地体に絡まって付着堆積することがない。
【００１２】
従って、第１の発明によると、後進時には特別な操作を要することなく接地反力を利用して自動的に接地体および角度センサを上方に退避回動させて損傷や変形を回避することができる耐久性に優れた刈高さ検出装置を構成することができる。
【００１３】
しかも、通常の刈取り前進時には接地体の後端部に働く接地反力で検知ケースが上方に退避することがないので、検知ケースを強い戻しバネなどで検知用姿勢に保持しておくことが不要となり、後進に伴って接地体の後端部に前方向きの力が加わると軽く上方に退避回動させ、接地体に大きい外力がかからない状態で退避維持することができ、耐久性にも優れたものとなる。
【００１４】
しかも、後下がり姿勢の接地体を使用することで、前進時に地上の夾雑物が接地体に付着堆積することがなく、かつ、接地体を前後に短いものにしてコンパクトに構成することができる。
【００１５】
第２の発明は、上記第１の発明において、
前進時の刈高さ検知状態において、前記接地体の後端部が前記後部支点よりも後方で接地するように接地体の長さを設定してあるものである。
【００１６】
上記構成によると、前進での検知状態のみならず走行停止状態においても接地体に働く接地反力で検知ケースを前下がり方向の回動力を与えて、検知ケースを所定の検知用姿勢に安定保持しておくことができ、第１の発明を好適に実施することができる。
【００１７】
第３の発明は、上記第２の発明において、
前記接地体が検知ケースに対して下方限界まで揺動した時、接地体の後端部が前記後部支点の略直下方に位置するように設定してあるものである。
【００１８】
上記構成によると、走行が停止された状態で刈取り部が大きく上昇された後、再び下降された際、刈取り部の上昇に伴って下方限界まで揺動した接地体は、刈取り部の下降によってその後端部から接地して前部支点周りに上方揺動することになるが、前部支点周りに上方揺動を開始した接地体の後端部は直ちに検知ケースの後部支点より後方に移動することになり、走行停止状態で刈取り部を高位置から作業高さ域にまで下降させても、接地体からの接地反力で検知ケースが検知用姿勢から前上がり回動することがなく、第２の発明の上記効果を助長する。
【００１９】
第４の発明は、上記第１〜３のいずれか一つの発明において、
前記検知ケースの前下がり方向への回動限界を規制する接当規制手段を設けるとともに、検知ケースを前下がり方向へ回動付勢する戻しバネを備えてあるものである。
【００２０】
上記構成によると、後進から前進に切換わると前上がり方向に退避回動されていた検知ケースは前下がり方向への回動限界である検知用姿勢にまで回動復帰されることになるが、この場合、検知ケースの後部支点での回動抵抗が大きくなっていても戻しバネによって検知ケースを前下がり方向へ付勢回動して、速やかに検知用姿勢にまで回動復帰されることになり、前進に移行すると遅れなく適正な刈高さ検出に基づく昇降制御を行うことができる。
【００２１】
第５の発明は、上記第４の発明において、
前記戻しバネを前記検知ケースに内装してあるものである。
【００２２】
上記構成によると、戻しバネへの泥や夾雑物の付着を防止して、検知ケースの復帰回動を的確に行わせることができ、上記第４の発明を好適に実施することができる。
【発明を実施するための最良の形態】
【００２３】
図１に、自脱型コンバインの側面が示されている。このコンバインは、左右のクローラ走行装置１を備えた走行機体２の前部に４条刈仕様の刈取り部３が昇降自在に連結されるとともに、走行機体２に運転部４、脱穀装置５、および、穀粒回収タンク６、等が搭載された構造となっている。
【００２４】
前記刈取り部３は、複数条の植立穀稈を刈取り姿勢に引起こす４本の引起し装置７、引起された穀稈の株元を切断するバリカン型の刈取り装置８、複数条の刈取り穀稈を合流して後方上方へ挟持搬送して、脱穀装置５に装備されたフィードチェーン９の始端部に横倒れ姿勢で受け渡す供給搬送装置１０、等が装備されており、刈取り部３に備えた刈取り部フレーム１１の基端が、走行機体２の前部に立設された基台１２に横向き支点Ｐを中心にして昇降揺動可能に支持されるとともに、走行機体２の前部と刈取り部フレーム１１とに亘って装着された油圧シリンダ１３の伸縮作動によって刈取り部３が駆動昇降されるようになっている。
【００２５】
前記油圧シリンダ１３は図示されない電磁バルブによって作動制御されるものであり、この電磁バルブは、刈取り部３の前端下部に備えた刈高さ検出装置Ａからの検出情報に基づいて自動制御（自動刈高さ制御）されるとともに、運転部４に備えられた操作レバー１４を前後操作してもたらされる人為指令によっても切換え操作されるようになっている。
【００２６】
周知のように、自動刈高さ制御は、刈取り部３の対地高さ（刈高さ）を設定値に維持するように制御バルブを操作して刈取り部３を昇降制御するものであり、本発明は、この自動刈高さ制御に用いる前記刈高さ検出装置Ａを以下のように構成したものである。
【００２７】
図２に示すように、前記刈取り部３の下端部には、引起し条数より１本多い（この場合５本）分草フレーム１５が左右所定間隔をもって前向き片持ち状に並列配備され、各分草フレーム１５の前端部に引起し装置７の下端部が連結支持されるとともに、分草フレーム１５に差込み連結された支持杆１６に分草具１８が位置調節自在および脱着自在にボルト連結されている。そして、左右外端から２本目の前記支持杆１６の下方にそれぞれ刈高さ検出装置Ａが配備され、例えば、左右の刈高さ検出装置Ａで得られた刈高さの平均値に基づいて自動刈高さ制御が行われる。
【００２８】
図３に示すように、この刈高さ検出装置Ａは地面（圃場面）に対する刈取り部３の高さを接地式に検知するものであり、山形に屈曲され支持杆１６の前端に縦板状ブラケット１７が備えられ、この縦板状ブラケット１７に前記分草具１８が位置調節自在および脱着自在にボルト連結されるとともに、刈高さ検出装置Ａが装着されている。
【００２９】
刈高さ検出装置Ａは、基本的には、縦板状ブラケット１７に連結支持されたセンサブラケット２１、このセンサブラケット２１の側面に取付けられた検知ケース２２、検知ケース２２の側面前部に横向きの前部支点Ｘを中心に上下揺動可能に支持された接地体２３、検知ケース２２の側面に取付けられた回転式ポテンショメータ利用の角度センサ２４、等で構成されている。
【００３０】
前記センサブラケット２１は厚板材を平面視で鉤形に屈曲して形成されたものであり、その前端から突設したローリング支軸２５が、縦板状ブラケット１７の後端部に固設されたボス部２６に回動自在に挿入連結され、刈高さ検出装置Ａ全体がローリング支点Ｒ周りに回動可能に支持されている。また、図６，７に示すように、前記ボス部２６にはねじりバネ２７が外嵌装着され、その両遊端部２７ａ，２７ｂが支持杆１６から後向きに突設された固定バネ受けピン２８を左右から所定の初期弾性力をもって挟持するとともに、前記センサブラケット２１の前端上部から突設したピン２９がねじりバネ２７の両遊端部２７ａ，２７ｂで挟持されている。
【００３１】
従って、固定バネ受けピン２８を介して一定姿勢に保持されたねじりバネ２７がピン２９を左右から挟持することで、ローリング支点Ｒ周りに回動自在なセンサブラケット２１は、接地体２３が直下方に位置する所定の中立姿勢に弾性的に保持されている。そして、センサブラケット２１に設定以上の大きい回動力が外部から作用すると、センサブラケット２１はピン２９によってねじりバネ２７における遊端部２７ａ，２７ｂの一方を押し広げ変形しながら回動され、外力が無くなるとセンサブラケット２１はねじりバネ２７によって元の姿勢にまで回動復帰されるようになっている。従って、接地体２３が接地されたままで機体操向がなされる、等して接地体２３に大きい外力が横向きに作用しても、刈高さ検出装置Ａ全体がローリング回動することで刈高さ検出装置Ａの損傷が未然に回避される。
【００３２】
なお、前記ボス部２６には軸受けブッシュ３０とオイルシール３１が組み込まれて、刈高さ検出装置Ａのローリング回動が円滑に行われるように構成されるとともに、ボス部２６に装着される抜け止めビス３８の座金３９にゴム付き座金を用いて、ローリング支点部の防水が図られている。また、前記縦板状ブラケット１７の一側部にはガイドリブ３２が後拡がりに突設されるとともに、縦板状ブラケット１７の他側部からセンサブラケット２１の前部外側近くまで斜め後方に向けて板バネ材からなるガイド部材３３が片持ち状に設けられ、前進走行に伴ってセンサブラケット２１の回動支点部に近づく雑草やワラ屑などの夾雑物をガイドリブ３２およびガイド部材３３で案内して左右後方に逃がすよう構成されている。
【００３３】
センサブラケット２１の後部には固定支軸３５が横向きに突設されており、この固定支軸３５に前記検知ケース２２が後部支点Ｙ周りに回動自在に装着されている。この検知ケース２２は左右分割構造に構成されており、一方の分割ケース２２ａを前記固定支軸３５に挿嵌してストッパリング３４で抜け止めした状態で後述する内装部品を組み入れ、その後、この分割ケース２２ａに他方の分割ケース２２ｂを接合してネジ連結するよう構成されている。なお、固定支軸３５と検知ケース２２との間にはニードルベアリング３６とオイルシール３７とが組み込まれて検知ケース２２の回動抵抗が軽減されている。
【００３４】
検知ケース２２の前部には支点軸４１が横架支承され、この支点軸４１の突出端に前記接地体２３が連結されている。図１１に示すように、接地体２３は、前部が先細り状に形成された適当横幅を有する前後に長い帯板状の主部２３ａと、その前部一側に折り曲げ連設された縦板状の連結基部２３ｂとを備えており、その連結基部２３ｂが前記支点軸４１の突出端部に脱着可能にボルト締め固定さている。また、接地体２３の主部２３ａは前記ローリング支点Ｒの延長線の直下方位置において後方下方に向けて延出され、その湾曲された後端部２３ｃが前記検知ケース２２の後部支点Ｙよりも後方において接地するように主部２３ａの長さが設定されている。なお、接地体２３の前部支点箇所は、センサブラケット２１の前端部と、後方に向けて屈曲延出された屈曲片２１ａとによって囲まれ、前進走行に伴って前方から接近してくる夾雑物が前部支点Ｘの周辺に絡み付くことが防止されるようになっている。
【００３５】
前記角度センサ２４は検知ケース２２の側面にネジ連結され、そのセンサ軸２４ａがケース内に突入されている。そして、検知ケース２２の前部に装備された前記支点軸４１には大径ギヤ４２が備えられるとともに、この大径ギヤ４２に咬合する小径ギヤ４３が前記センサ軸２４ａに連結されており、接地体２３の上下揺動によって支点軸４１が回動すると、それが増幅されてセンサ軸２４ａに伝達され、接地体２３の小さい上下動が角度センサ２４で大きい角度変化として検知されるようになっている。
【００３６】
前記大径ギヤ４２とケース内のバネ受けピン４４とに亘ってバネ４５が張設され、接地体２３が下方に向けて揺動付勢されるよう支点軸４１が回動付勢され、接地体２３が地面の高さ変化に円滑に追従して上下揺動するようになっている。ここで、大径ギヤ４２における周方向の端部４２ａ，４２ｂがケース内の隆起部４６ａ，４６ｂに接当することで、支点軸４１および接地体２３の揺動限度が接当規制されている。
【００３７】
なお、図３中の仮想線で示すように、接地体２３が検知ケース２２に対して下方限界まで揺動した時、接地体２３の後端部２３ｃが前記後部支点Ｙの略直下方に位置するように設定されている。従って、走行が停止された状態で刈取り部３が大きく上昇された後、再び下降された際、刈取り部３の上昇に伴って下方限界まで揺動した接地体２３は、刈取り部３の下降によってその後端部２３ｃから接地して前部支点Ｘ周りに上方揺動することになるが、前部支点Ｘ周りに上方揺動を開始した接地体２３の後端部２３ｃは直ちに検知ケース２２の後部支点Ｙより後方に移動する。
【００３８】
前記検知ケース２２を回動自在に支持した前記固定支軸３５のケース内端部にはフランジ４７が一体回動可能に装着されており、このフランジ４７とケース内のバネ受けピン４８とに亘って戻しバネ４９が張設され、検知ケース２２が後部支点Ｙ周りに前下がり方向に軽く回動付勢されている。また、検知ケース２２における外側面の前部にはストッパ５０が横向きに突設されており、このストッパ５０がセンサブラケット２１の上端縁に接当することで検知ケース２２の前下がり回動限度が接当規制されている。
【００３９】
本発明に係る刈高さ検出装置Ａは以上のように構成されており、刈取り部３が刈取り作業高さにあって前進移動している状態では、図３に示すように、接地体２３の後端部２３ｃが検知ケース２２の後部支点Ｙよりも後方において付勢接地しており、この後端部２３ｃに働く接地反力は検知ケース２２を前下がり方向に回動させるよう働き、検知ケース２２は自重、戻しバネ４４の張力、接地体２３からの接地反力、および、接地体２３の接地摺動に伴う引きずり抵抗、等によって所定の前下がり回動限度である検知用位置に安定保持され、この状態で地面の高さ変化に対応して接地体２３が上下揺動し、その揺動が角度センサ２４によって検知されることになる。
【００４０】
刈取り部３を上昇させることなく後進が行われると、接地体２３の後端部２３ｃには前方向きの外力が働き、検知ケース２２には前上がり方向の回動力として作用する。この場合、検知ケース２２は、それ全体の自重および戻しバネ４９による前下がり方向への回動力よりも大きい前上がり方向への回動力を受けると上方へ回動することになり、図９に示すように、検知ケース２２が後部支点Ｙを中心にして前上がり回動する。これによって接地体２３の前部支点Ｘが上方に退避し、屈曲された支持杆１６の下方空間において刈高さ検出装置Ａの主要部が退避位置まで振り上がることになる。
【００４１】
また、図１０に示すように、検知ケース２２の内部における後部支点Ｙの近傍に形成された段部５１が、固定状態にあるフランジ４７の段部４７ａに接当することで、検知ケース２２の振り上がり回動限度が接当規制され、検知ケース２２が振り上がり回動限度まで後退回動した状態では、付勢揺動限度まで揺動した接地体２３が縦板状ブラケット１７の下端よりも上方に退避するようになっている。
【００４２】
また、前進に切換わると、退避位置の検知ケース２２は前下がり回動して自動的に元の検知用位置まで復帰回動して刈高さ検知可能な状態がもたらされる。この場合、戻しバネ４９は、後部支点Ｙにおける回動抵抗が増大した場合でも確実に前下がり回動復帰が行われるように装備されたものであり、接地体２３を接地付勢するためのバネ４５に比べて弱いものが使用されている。
【００４３】
また、前記角度センサ２４は、その外側に装着した樹脂製の保護カバー５２によって覆われるとともに、角度センサ２４の後端から導出されたハーネス５３が保護カバー５２の内部に一体形成した係止部５４に係止案内されて機体内方に向けて導かれた後、後方に導出されている。そして、検知ケース２２が通常の検知用位置にある時には保護カバー５２のハーネス導出位置ｄが検知ケース２２の後部支点Ｙより上方にあり、検知ケース２２が退避位置に振り上がり回動した時には保護カバー５２のハーネス導出位置ｄが検知ケース２２の後部支点Ｙよりも下方にあるように、検知ケース２２に対して角度センサ２４が予め斜めに取付けられている。これによって検知ケース２２が大きく回動してもハーネス５３の前後への移動が少なくなってハーネス５３を不当にねじったり引張ったりすることがなく、もって断線事故が未然に回避されている。
【００４４】
〔他の実施例〕
【００４５】
（１）５条刈り仕様あるいは６条刈り仕様の刈取り部３においては、図１２あるいは図１３に示すように、刈高さ検出装置Ａを配備するとよい。
【００４６】
（２）前記戻しバネ４４を後部支点Ｙ上に位置させて検知ケース２２に内装したねじりバネで構成することもできる。
【００４７】
（３）上記実施例では、検知ケース２２を前下がり回動方向に付勢する戻しバネ４９を装備して、検知ケース２２の前下がり方向への復帰回動をより確実なものにしているが、検知ケース２２の材質、あるいは、肉厚、等を適宜選択してケース全体の重量を大きくし、自重による前下がり方向の回動力を大きくしておけば、戻しバネ４９を一層弱いものですも。また、自重による前下がり方向の回動力を充分確保できれば戻しバネ４９を省略することも可能である。
【図面の簡単な説明】
【００４８】
【図１】コンバインの全体側面図
【図２】刈取り部の概略平面図
【図３】刈高さ検出装置の左側面図
【図４】刈高さ検出装置の平面図
【図５】刈高さ検出装置の右側面図
【図６】刈高さ検出装置における要部の縦断側面図
【図７】刈高さ検出装置のローリング構造を示す正面図
【図８】刈高さ検出装置の横断平面図
【図９】機体後進状態における刈高さ検出装置の左側面図
【図１０】検知ケース振り上げ状態における縦断側面図
【図１１】接地体の平面図
【図１２】５条刈り仕様における刈高さ検出装置の配置例を示す刈取り部の概略平面図
【図１３】６条刈り仕様における刈高さ検出装置の配置例を示す刈取り部の概略平面図
【符号の説明】
【００４９】
２              走行機体
３              刈取り部
２２            検知ケース
２３            接地体
２３ｃ          後端部
２４            角度センサ
４９            戻しバネ
Ｘ              前部支点
Ｙ              後部支点
【図１】
2006204167.tif 000003
【図２】
2006204167.tif 000004
【図３】
2006204167.tif 000005
【図４】
2006204167.tif 000006
【図５】
2006204167.tif 000007
【図６】
2006204167.tif 000008
【図７】
2006204167.tif 000009
【図８】
2006204167.tif 000010
【図９】
2006204167.tif 000011
【図１０】
2006204167.tif 000012
【図１１】
2006204167.tif 000013
【図１２】
2006204167.tif 000014
【図１３】
2006204167.tif 000015